(57)【要約】【課題】異なる利用層に対しても同一のリモコンにより、操作性の向上を図って誤操作を減らすようにしたリモコン装置を提供する。【解決手段】二つのボタンブロック４Ａ，４Ｂからなるボタン操作部４を備えたリモコン本体２と、リモコン本体２に対して挿抜により着脱自在とされると共に、該着脱により二つのボタンブロック４Ａ，４Ｂのうちの一方のボタンブロック４Ｂを覆う一方閉鎖姿勢と二つのボタンブロック４Ａ，４Ｂを操作可能状態に開放する双方開放姿勢とに選択的に装着されるカバー蓋３とを備える。【選択図】図１
2009224921.tif 000002
【特許請求の範囲】
【請求項１】
二つのボタンブロックからなるボタン操作部を備えたリモコン本体と、
前記リモコン本体に対して挿抜により着脱自在とされると共に、該着脱により前記二つのボタンブロックのうちの一方のボタンブロックを覆う一方閉鎖姿勢と二つのボタンブロックを操作可能状態に開放する双方開放姿勢とに選択的に装着されるカバー蓋とを備えてなることを特徴とするリモコン装置。
【請求項２】
二つのボタンブロックからなるボタン操作部を備えたリモコン本体と、
前記リモコン本体の外周面にその周方向にスライド操作自在に装着されると共に、該スライド操作により前記二つのボタンブロックのうちの一方のボタンブロックを覆う一方閉鎖姿勢と二つのボタンブロックを操作可能状態に開放する双方開放姿勢とに姿勢変更自在とされたカバー蓋とを備えてなることを特徴とするリモコン装置。
【請求項３】
リモコン本体に二つのボタンブロックからなるボタン操作部が備えられると共に、一方のボタンブロックがリモコン本体の表面側に配置され、他方のボタンブロックがリモコン本体の裏面側に配置されていることを特徴とするリモコン装置。
【発明の詳細な説明】
【技術分野】
【０００１】
本発明は、被制御機器の制御に用いられるリモコン装置に関するもので、特に、二つのボタンブロックからなるボタン操作部に対して、操作したいボタン操作部を戸惑うことなく容易に操作できるようにして操作性を向上し、誤操作を減らすようにした構造のリモコン装置に関する。
【背景技術】
【０００２】
従来のリモコン装置は、そのリモコン装置が付属する本体の機能の増加に伴い操作ボタンを増やしていた。そのことによってリモコン本体上の操作ボタン数が増え、操作に慣れない人にとっては、どの操作ボタンを操作すればよいのか迷いが生じ、希望する操作と違うボタンを間違って押下し混乱をきたす等の問題があった。
【０００３】
このような改善策として、操作に不慣れな人では使用しない、または使用頻度が低いボタン操作部を開閉蓋で覆い、必要に応じて操作可能に開閉できるようにした構造のものがあった（例えば、特許文献１および特許文献２参照。）があった。
【０００４】
また、操作に不慣れな人では使用しない、または使用頻度が低いボタン操作部を排除したリモコン装置（以降、かんたんリモコンと称す）をもう一つ準備する場合もある。
【０００５】
【特許文献１】特開２００５−７９７８５号公報
【特許文献２】特開２００１−３０６１０１号公報
【発明の開示】
【発明が解決しようとする課題】
【０００６】
しかしながら、上記従来のようなボタン操作部を蓋で覆う構造によれば、蓋の下になっている操作ボタンを常時使用する操作に慣れた人にとっては、蓋を開いた状態にしておかなければならないが、引用文献１に開示の構造では蓋の納まりが悪く、操作性に難点が生じると共に、開いた状態のままにしておくと蓋の破損や欠損を招くおそれがあり、引用文献２に開示の構造ではいずれかの操作部が常に蓋で塞がれた状態となるため、操作性に劣るという問題があった。
【０００７】
一方、かんたんリモコンを別途用意するという方法によれば、他の機器の操作のためのリモコン装置が既に家庭内にはいろいろと存在するため、さらにリモコン装置を増やすことになり、使用しない方のリモコン装置は邪魔となるおそれがある。
【０００８】
そこで、本発明は、上記のような課題を解消するためになされたもので、異なる利用層に対しても同一のリモコンにより、操作性の向上を図って誤操作を減らすようにしたリモコン装置を提供することを目的とするものである。
【課題を解決するための手段】
【０００９】
本発明に係る請求項１記載のリモコン装置は、二つのボタンブロックからなるボタン操作部を備えたリモコン本体と、前記リモコン本体に対して挿抜により着脱自在とされると共に、該着脱により前記二つのボタンブロックのうちの一方のボタンブロックを覆う一方閉鎖姿勢と二つのボタンブロックを操作可能状態に開放する双方開放姿勢とに選択的に装着されるカバー蓋とを備えてなる点にある。
【００１０】
また、本発明に係る請求項２記載のリモコン装置は、二つのボタンブロックからなるボタン操作部を備えたリモコン本体と、前記リモコン本体の外周面にその周方向にスライド操作自在に装着されると共に、該スライド操作により前記二つのボタンブロックのうちの一方のボタンブロックを覆う一方閉鎖姿勢と二つのボタンブロックを操作可能状態に開放する双方開放姿勢とに姿勢変更自在とされたカバー蓋とを備えてなる点にある。
【００１１】
さらに、本発明に係る請求項３記載のリモコン装置は、リモコン本体に二つのボタンブロックからなるボタン操作部が備えられると共に、一方のボタンブロックがリモコン本体の表面側に配置され、他方のボタンブロックがリモコン本体の裏面側に配置されている点にある。
【発明の効果】
【００１２】
本発明に係る請求項１記載のリモコン装置によれば、二つのボタンブロックからなるボタン操作部を備えたリモコン本体と、リモコン本体に対して挿抜により着脱自在とされると共に、該着脱により二つのボタンブロックのうちの一方のボタンブロックを覆う一方閉鎖姿勢と二つのボタンブロックを操作可能状態に開放する双方開放姿勢とに選択的に装着されるカバー蓋とを備えてなるものであり、例えば、操作に慣れた人が使用する場合には、カバー蓋を双方開放姿勢としてリモコン本体に装着しておけば、リモコン本体へのカバー蓋の収納性を高め、ボタン操作部を全て開放状態としていても破損や欠損のおそれなく使用でき、操作性に優れる利点がある。
【００１３】
これに対し、操作に不慣れな人が使用する場合には、カバー蓋を一方閉鎖姿勢としてリモコン本体に装着しておけば、同様に、リモコン本体へのカバー蓋の収納性を高めて破損や欠損のおそれなく使用できると共に、不慣れな人では使用しない、または使用頻度が低いボタン操作部を覆い隠すため、戸惑うことなく容易に操作でき、誤操作を有効に減らすことができる。
【００１４】
ここに、操作に慣れた人も慣れていない人も同一のリモコン装置を有効に使用でき、家庭で増えがちなリモコン装置の数を不必要に増やすこともないという利点がある。
【００１５】
また、本発明に係る請求項２記載のリモコン装置によれば、二つのボタンブロックからなるボタン操作部を備えたリモコン本体と、リモコン本体の外周面にその周方向にスライド操作自在に装着されると共に、該スライド操作により二つのボタンブロックのうちの一方のボタンブロックを覆う一方閉鎖姿勢と二つのボタンブロックを操作可能状態に開放する双方開放姿勢とに姿勢変更自在とされたカバー蓋とを備えてなるものであり、例えば、操作に慣れた人が使用する場合には、カバー蓋をスライド操作して双方開放姿勢に姿勢変更しておけば、ボタン操作部は全て開放状態とされており、操作性に優れる利点がある。
【００１６】
これに対し、操作に不慣れな人が使用する場合には、カバー蓋をスライド操作して一方閉鎖姿勢に姿勢変更しておけば、不慣れな人では使用しない、または使用頻度が低いボタン操作部を覆い隠すため、戸惑うことなく容易に操作でき、誤操作を有効に減らすことができる。
【００１７】
また、カバー蓋はリモコン本体の外周面にその周方向にスライド操作自在に常に装着された状態にあり、従来のような開閉操作するような構造と比較して、破損や欠損を有効に防止することができる。
【００１８】
ここに、操作に慣れた人も慣れていない人も同一のリモコンを有効に使用でき、家庭で増えがちなリモコン装置の数を不必要に増やすこともないという利点がある。
【００１９】
さらに、本発明に係る請求項３記載のリモコン装置によれば、リモコン本体に二つのボタンブロックからなるボタン操作部が備えられると共に、一方のボタンブロックがリモコン本体の表面側に配置され、他方のボタンブロックがリモコン本体の裏面側に配置されている構造とされており、例えば、操作に慣れた人が使用する場合には、必要に応じてリモコン本体を裏面側に反転すればよく、操作が不慣れな人が使用する場合には、使用しない、または使用頻度が低いボタン操作部側を裏面側としてリモコン本体を使用すればよく、操作性の向上が図れると共に誤操作も有効に防止できる。
【００２０】
また、操作に慣れた人も慣れていない人も同一のリモコンを有効に使用でき、家庭で増えがちなリモコン装置の数を不必要に増やすこともないという利点がある。
【発明を実施するための最良の形態】
【００２１】
＜実施の形態１＞
以下、本発明の実施の形態１を図面に基づいて説明すると、図１ないし図３に示されるように、リモコン装置１は、リモコン本体２と、該リモコン本体２に着脱自在とされたカバー蓋３を備えている。
【００２２】
リモコン本体２は、細長の直方体状に構成されており、その主面となる表面側には、テレビ等の被制御機器を操作するためのボタン操作部４が備えられている。そして、このボタン操作部４は、使用頻度が高く、操作に不慣れな人でも主として使用するボタンブロック４Ａと、使用頻度は高いが、操作に不慣れな人は余り使用しないボタンブロック４Ｂとの二つボタン群が機能別に分離して備えられた構造とされている。
【００２３】
また、リモコン本体２の両側面には、その厚さ方向中間部で、一端からリモコン本体２の長手方向略中間部に至るスライド溝２ａが、リモコン本体２の長手方向に沿って形成されている。
【００２４】
前記カバー蓋３は、合成樹脂等の可撓性を有した材料により形成されると共に、図１や図２に示されるように、リモコン本体２の一端部に外嵌される端部カバー部３ａと、一方のボタンブロック４Ｂを覆うブロックカバー部３ｂと、リモコン本体２の両側面の厚さ方向半部をそれぞれ覆う側面カバー部３ｃとが一体形成されたカバー構造とされている。
【００２５】
また、両側の側面カバー部３ｃの内面側には、図３に示されるように、リモコン本体２の各スライド溝２ａ位置に対応して、スライド溝２ａの形状に対応する形状のガイド突条部３ｄがスライド溝２ａと同様の長さを有してそれぞれ形成されている。
【００２６】
そして、カバー蓋３の両側のガイド突条部３ｄを、リモコン本体２の両側のスライド溝２ａに沿ってスライドさせて挿入したり、引き抜いたりすることにより、リモコン本体２に対してカバー蓋３を装着したり、離脱させたりすることができる構造とされている。即ち、リモコン本体２に対してカバー蓋３を挿抜により着脱自在な構造とされている。
【００２７】
また、カバー蓋３の装着状態においては、各スライド溝２ａと各ガイド突条部３ｄとの相互間の摩擦により、その装着状態が保持される構造とされている。
【００２８】
そして、図１に示されるように、カバー蓋３のブロックカバー部３ｂを裏面側として装着すれば、ボタン操作部４における二つのボタンブロック４Ａ，４Ｂのいずれもが操作可能状態に開放された双方開放姿勢が得られ、カバー蓋３をリモコン本体２から一旦引き抜き、カバー蓋３の上下を反転させて再度、リモコン本体２に装着すれば、図２に示されるように、ボタン操作部４における一方の操作に不慣れな人は余り使用しないボタンブロック４Ｂをブロックカバー部３ｂで覆い隠した一方閉鎖姿勢が得られる構造とされている。
【００２９】
従って、本実施の形態によれば、操作に慣れた人がリモコン装置１を使用する場合には、カバー蓋３を双方開放姿勢としてリモコン本体２に装着しておけば、ボタン操作部４の全てのボタンブロック４Ａ，４Ｂを自由に使用できて、操作性に優れ、また、リモコン本体２へのカバー蓋３の収納性を高め、各ボタンブロック４Ａ，４Ｂを全て開放状態としていてもカバー蓋３の破損や欠損のおそれなく使用できる利点がある。
【００３０】
これに対し、操作に不慣れな人がリモコン装置１を使用する場合には、カバー蓋３を一方閉鎖姿勢としてリモコン本体２に装着しておけば、不慣れな人は余り使用しない、または使用頻度が低いボタン操作部４における一方のボタンブロック４Ｂをブロックカバー部３ｂで覆い隠しているため、戸惑うことなく容易に操作でき、誤操作を有効に減らすことができ、また、上記同様に、リモコン本体２へのカバー蓋３の収納性を高めて破損や欠損のおそれなく使用できる利点もある。
【００３１】
ここに、操作に慣れた人も慣れていない人も同一のリモコン装置１を有効に使用でき、家庭で増えがちなリモコン装置１の数を不必要に増やすこともないため、原材料の減量化や包装の減量化が図れるという利点がある。
【００３２】
また、リモコン本体２に対するカバー蓋３の着脱に際しても、カバー蓋３の両側のガイド突条部３ｄを、リモコン本体２の両側のスライド溝２ａに沿ってスライドさせて挿入したり、引き抜いたりするだけで、姿勢を選択して装着したり、離脱させたりすることができ、ここに、カバー蓋３の挿抜により容易に着脱や姿勢変更でき、使い勝手に優れる利点がある。
【００３３】
そして、その装着状態においては、各スライド溝２ａと各ガイド突条部３ｄとの相互間の摩擦により、その装着状態が保持される簡単な構造とされており、安価に提供できる。
【００３４】
なお、図１や図２の仮想線や、図４に示されるように、カバー蓋３における各側面カバー部３ｃの挿入側端部に係合突部３ｅをそれぞれ設け、カバー蓋３の装着状態において、これら各係合突部３ｅの位置に対応するリモコン本体２側の両側面に、各係合突部３ｅが係脱自在に係合する係合溝２ｂが、リモコン本体２の厚み方向にそれぞれ備えられた構造としてもよい。
【００３５】
このような構造によれば、リモコン本体２に対するカバー蓋３の装着状態において、各スライド溝２ａと各ガイド突条部３ｄとの相互間の摩擦により、その装着状態が保持されるだけでなく、各係合溝２ｂと各係合突部３ｅとの係合によってもその装着状態が保持されるため、カバー蓋３の不用意な離脱がより有効に防止できる。
【００３６】
＜実施の形態２＞
図５は本発明の実施の形態２を示しており、上記実施の形態１と同様構成部分は同一符号を付している。
【００３７】
即ち、上記実施の形態１では、リモコン本体２に対してカバー蓋３を挿抜により着脱する構造としているが、本実施の形態では、リモコン本体２の外周面を略円柱状に形成し、カバー蓋３はリモコン本体２の長手方向長さの略半部の長さを有すると共に、リモコン本体２よりも若干大径の半円筒状に形成した構造としている。
【００３８】
そして、リモコン本体２の外周面には、ボタン操作部４における一方のボタンブロック４Ｂの上部および下部に位置して、適宜深さのスライド溝２ｃが周方向環状にそれぞれ形成されている。
【００３９】
また、カバー蓋３の長手方向両端部の内周面側には、リモコン本体２の各スライド溝２ｃ位置に対応して、スライド溝２ｃの形状に対応する形状のガイド突条部３ｆがそれぞれ形成されている。
【００４０】
そして、カバー蓋３のガイド突条部３ｆが、リモコン本体２の各スライド溝２ｃにその周方向に沿ってスライド操作自在に嵌合されて、リモコン本体２にカバー蓋３が装着された構造とされている。なお、このリモコン本体２に対するカバー蓋３の装着状態に置いて、カバー蓋３はリモコン本体２の周方向の半分よりも僅かに超えた範囲まで覆う構造とされている。
【００４１】
このカバー蓋３の装着状態で、カバー蓋３をリモコン本体２の表面側にスライド操作した状態とすれば、カバー蓋３によりボタン操作部４における一方の操作に不慣れな人は余り使用しないボタンブロック４Ｂを覆い隠した一方閉鎖姿勢が得られる構造とされている。
【００４２】
また、カバー蓋３をリモコン本体２の裏面側にスライド操作した状態とすれば、ボタン操作部４における二つのボタンブロック４Ａ，４Ｂのいずれもが操作可能状態に開放された双方開放姿勢が得られる構造とされている。
【００４３】
従って、本実施の形態によっても、操作に慣れた人がリモコン装置１を使用する場合には、カバー蓋３をスライド操作によりリモコン本体２の裏面側に移動させて双方開放姿勢としておけば、ボタン操作部４の全てのボタンブロック４Ａ，４Ｂを自由に使用できて、操作性に優れる利点がある。
【００４４】
また、操作に不慣れな人がリモコン装置１を使用する場合には、カバー蓋３をスライド操作によりリモコン本体２の表面側に移動させて一方閉鎖姿勢としておけば、不慣れな人は余り使用しない、または使用頻度が低いボタン操作部４における一方のボタンブロック４Ｂをカバー蓋３で覆い隠しているため、戸惑うことなく容易に操作でき、誤操作を有効に減らすことができる利点がある。
【００４５】
そして、カバー蓋３はリモコン本体２の外周面にその周方向にスライド操作自在に常に装着された状態にあり、従来のような開閉操作するような構造と比較して、破損や欠損を有効に防止することができる。
【００４６】
さらに、リモコン本体２の周方向にカバー蓋３をスライド操作することによって、一方閉鎖姿勢と双方開放姿勢とが容易に得られるため、操作性にも優れる利点がある。
【００４７】
そして、操作に慣れた人も慣れていない人も同一のリモコン装置１を有効に使用でき、家庭で増えがちなリモコン装置１の数を不必要に増やすこともないため、原材料の減量化や包装の減量化が図れるという利点もある。
【００４８】
＜実施の形態３＞
図６および図７は本発明の実施の形態３を示しており、上記実施の形態１と同様構成部分は同一符号を付している。
【００４９】
即ち、本実施の形態によれば、ボタン操作部４における一方のボタンブロック４Ａが、リモコン本体２の表面側に配置され、ボタン操作部４における他方のボタンブロック４Ｂが、リモコン本体２の裏面側に配置された構造とされている。
【００５０】
また、リモコン本体２の表面側および裏面側の周縁部における適宜位置には、ボタン操作部４における各操作ボタンの突出高さよりも高い高さを有する支持突部２ｄが、それぞれ突設されている。この際、リモコン本体２の各ボタンブロック４Ａ，４Ｂを操作する際に、手許にくる側の周縁部には、幅方向中央部の一箇所に支持突部２ｄが突設された構造とされ、手許と反対側の周縁部には、幅方向両端部にそれぞれ支持突部２ｄが突設された構造とされている。
【００５１】
従って、本実施の形態によれば、リモコン本体２の表面側と裏面側に、ボタン操作部４における各ボタンブロック４Ａ，４Ｂがそれぞれ割り振られた構造とされているため、上記実施の形態１や実施の形態２のようにカバー蓋３がなくても、操作に慣れた人が使用する場合には、必要に応じてリモコン本体２を裏面側に反転すればよく、また、操作に不慣れな人が使用する場合には、表面側のボタンブロック４Ａを使用すればよいため、操作性の向上が図れると共に誤操作も有効に防止できる。
【００５２】
そして、操作に慣れた人も慣れていない人も同一のリモコンを有効に使用でき、家庭で増えがちなリモコン装置の数を不必要に増やすこともないため、原材料の減量化や包装の減量化が図れるという利点がある。
【００５３】
また、カバー蓋３が不要になるため、コスト低減が図れると共に、ボタン操作部４における各ボタンブロック４Ａ，４Ｂをリモコン本体２の表面側と裏面側に振り分けて配置しているため、リモコン本体２をコンパクトに構成できる利点もある。
【００５４】
さらに、リモコン本体２の表面側や裏面側にそれぞれ支持突部２ｄを設けているため、リモコン本体２を置いた際に、リモコン本体２の下側に位置するボタン操作部４の各操作ボタンがリモコン装置１の自重で不用意に押し操作されることもない。
【００５５】
また、リモコン本体２の手許にくる側の支持突部２ｄは、幅方向中央部の一箇所とされているため、リモコン本体２を右手で持って操作する際や左手で持って操作する際に、邪魔にならないという利点もある。
【００５６】
なお、各実施の形態において、ボタン操作部４における各ボタンブロック４Ａ，４Ｂのの各操作ボタンの配置は、何ら実施の形態の配置に限定されず、必要に応じて適宜決定すればよい。
【００５７】
また、ボタン操作部４の各ボタンブロック４Ａ，４Ｂが、操作に慣れた人と操作に不慣れな人とにより使い分けられる構造を示しているが、その他、利用層の相違により、各ボタンブロック４Ａ，４Ｂが分けられているリモコン装置１であってもよい。
【図面の簡単な説明】
【００５８】
【図１】本発明に係る実施の形態１のリモコン装置を示す斜視図である。
【図２】同異なる使用態様の斜視図である。
【図３】図１におけるIII−III線断面説明図である。
【図４】図１におけるIV−IV線断面説明図である。
【図５】本発明に係る実施の形態２のリモコン装置を示す斜視図である。
【図６】本発明に係る実施の形態３のリモコン装置を示す斜視図である。
【図７】同表裏を反転した状態の斜視図である。
【符号の説明】
【００５９】
１  リモコン装置、２  リモコン本体、３  カバー蓋、４  ボタン操作部、４Ａ，４Ｂ  ボタンブロック。
【図１】
2009224921.tif 000003
【図２】
2009224921.tif 000004
【図３】
2009224921.tif 000005
【図４】
2009224921.tif 000006
【図５】
2009224921.tif 000007
【図６】
2009224921.tif 000008
【図７】
2009224921.tif 000009